(57)【要約】【課題】ユーザが検索語を想定できない場合においても、必要なコンテンツや既に発見したコンテンツの関連コンテンツを発見し、その整理を行う。【解決手段】本発明は、入力制御部が、表示されているコンテンツの中からユーザにより選択されたコンテンツに対する操作パターンに基づいて描画パラメタをコンテンツ描画ＤＢに設定し、表示制御部がコンテンツ描画ＤＢの描画パラメタを読み込んで表示装置に表示する。ユーザの操作パターンとして、コンテンツ群表示領域からユーザ指定コンテンツ群表示領域への移動、関連コンテンツ群表示領域からユーザ指定コンテンツ群表示領域への移動、ユーザ指定コンテンツ群から削除領域への移動があり、入力制御部がこれらの操作に伴ってコンテンツ描画ＤＢに描画パラメタを設定し、表示制御部は当該描画パラメタに基づいて、移動先の領域にコンテンツを表示する。【選択図】図１
2009026016.tif 000002
【特許請求の範囲】
【請求項１】
表示装置及び入力装置に接続され、ネットワーク上のコンテンツ群を発見し、整理してユーザに提示するためのコンテンツ群の発見と整理を補助する装置であって、
コンテンツのコンテンツＩＤと、コンテンツを表示装置上の領域に表示するためのコンテンツ描画パラメタを格納するコンテンツ描画データベース（ＤＢ）と、
第１のコンテンツＩＤと第２のコンテンツＩＤと、その関連度を示す関連度パラメタが格納されるコンテンツ関連度ＤＢと、
ユーザによって指定されたコンテンツのコンテンツＩＤを格納するユーザ指定コンテンツＤＢと、
前記表示装置のコンテンツ群表示領域（以下、領域Ａと記す）に、最初にユーザ選択する候補となるコンテンツを表示する初期表示手段と、
前記入力装置を介してユーザから、前記表示装置の前記領域Ａからユーザ指定コンテンツ群表示領域（以下、領域Ｂと記す）にコンテンツを移動させる第１の操作情報、関連コンテンツ群表示領域（以下、領域Ｃと記す）から該領域Ｂにコンテンツを移動させる第２の操作情報、該領域Ｂからコンテンツ削除領域（以下、領域Ｄと記す）にコンテンツを移動させる第３の操作情報が入力されると、それぞれの操作情報に基づいて、前記ユーザ指定コンテンツＤＢへのコンテンツ登録を行う機能、前記コンテンツ描画ＤＢにコンテンツ描画パラメタを設定する機能を有する入力制御手段と、
前記コンテンツ描画ＤＢからコンテンツ描画パラメタを読み込んで、前記領域Ａ、前記領域Ｂ、前記領域Ｃ、または、前記領域Ｄに、コンテンツ及び該コンテンツに関する情報を表示する制御を行う表示制御手段と、
を有することを特徴とするコンテンツ群の発見と整理を補助する装置。
【請求項２】
前記入力制御手段は、
前記表示装置を閲覧しているユーザから前記入力装置を介して、前記領域Ａに表示されているコンテンツを前記領域Ｂに移動させる前記第１の操作情報が入力されると、指定されたコンテンツのコンテンツＩＤを、前記ユーザ指定コンテンツＤＢに登録すると共に、該コンテンツが該領域Ｂに表示可能となるようにコンテンツ描画パラメタを前記コンテンツ描画ＤＢに記録するコンテンツ移動登録手段と、
前記ユーザにより指定されたコンテンツのコンテンツＩＤに基づいて、前記コンテンツ関連度ＤＢを参照し、該コンテンツＩＤ（第１のコンテンツＩＤ）に類似する第２のコンテンツＩＤを取得し、該第２のコンテンツＩＤのコンテンツが前記領域Ｃに表示可能となるようにコンテンツ描画パラメタを前記コンテンツ描画ＤＢに記録する関連コンテンツ設定手段と、
前記ユーザから前記領域Ｃに表示されているコンテンツを、前記領域Ｂに移動させる前記第２の操作情報が入力されると、該コンテンツのコンテンツＩＤを前記ユーザ指定コンテンツＤＢに登録すると共に、該コンテンツＩＤのコンテンツが該領域Ｂに表示可能となるようにコンテンツ描画パラメタを前記コンテンツ描画ＤＢに記録する関連コンテンツ移動設定手段と、
前記ユーザにより前記領域Ｂから削除するコンテンツが指定された第３の操作情報が入力されると、前記コンテンツ描画ＤＢに該領域Ｂに当該コンテンツを表示しないようにコンテンツ描画パラメタを更新するコンテンツ削除設定手段と、
を有し、
前記表示制御手段は、
前記表示装置の前記領域Ａに、予めメモリに格納されている最初にユーザが選択する候補となるコンテンツを表示する初期表示手段と、
前記コンテンツ移動登録手段により前記コンテンツ描画ＤＢに登録されたコンテンツ描画パラメタに基づいて、前記領域Ｂに前記ユーザにより指定されたコンテンツを表示させるユーザ指定表示手段と、
前記関連コンテンツ設定手段により前記コンテンツ描画ＤＢに登録されたコンテンツ描画パラメタに基づいて、前記領域Ｃに前記ユーザにより指定されたコンテンツに関連するコンテンツを表示する関連コンテンツ表示手段と、
前記関連コンテンツ設定手段により前記コンテンツ描画ＤＢに設定されたコンテンツ描画パラメタに基づいて、前記領域Ｂに前記ユーザにより指定された関連コンテンツを表示させる関連コンテンツ移動表示手段と、
前記コンテンツ削除設定手段により前記コンテンツ描画ＤＢに登録されたコンテンツ描画パラメタに基づいて、前記領域Ｄに前記ユーザにより削除を指定されたコンテンツを表示させる、または、どの領域にも表示させない削除コンテンツ表示手段と、
を有する請求項１記載のコンテンツ群の発見と整理を補助する装置。
【請求項３】
前記関連コンテンツ設定手段は、
前記コンテンツ関連度ＤＢから予め設定されているコンテンツ表示数分の前記第２のコンテンツＩＤを取得して前記コンテンツ描画ＤＢに書き込む手段を含む
請求項２記載のコンテンツ群の発見と整理を補助する装置。
【請求項４】
前記コンテンツ移動登録手段及び前記関連コンテンツ移動設定手段は、
前記ユーザにより選択されたコンテンツのコンテンツＩＤに加えて、登録する時刻も併せて前記ユーザ指定コンテンツＤＢに登録する手段と、
予め設定されているユーザ指定コンテンツ群領域整理ルールに基づいて、前記ユーザ指定コンテンツＤＢに登録されている登録時刻が所定の時刻より前のコンテンツＩＤに対応するコンテンツ描画ＤＢのコンテンツ描画パラメタの値を変更する手段と、
を含む請求項２記載のコンテンツ群の発見と整理を補助する装置。
【請求項５】
ネットワーク上のコンテンツ群を発見し、整理してユーザに提示するためのコンテンツ群の発見と整理を補助する方法であって、
コンテンツのコンテンツＩＤと、コンテンツを表示装置上の領域に表示するためのコンテンツ描画パラメタを格納するコンテンツ描画データベース（ＤＢ）と、
第１のコンテンツＩＤと第２のコンテンツＩＤと、その関連度を示す関連度パラメタが格納されるコンテンツ関連度ＤＢと、
ユーザによって指定されたコンテンツのコンテンツＩＤを格納するユーザ指定コンテンツＤＢと、を有し、表示装置及び入力装置に接続された装置において、
前記表示装置のコンテンツ群表示領域（以下、領域Ａと記す）に、最初にユーザ選択する候補となるコンテンツを表示する初期表示ステップと、
前記入力装置を介してユーザから、前記表示装置の前記領域Ａからユーザ指定コンテンツ群表示領域（以下、領域Ｂと記す）にコンテンツを移動させる第１の操作情報が入力されると、該コンテンツのコンテンツＩＤを前記ユーザ指定コンテンツＤＢに登録すると共に、移動させるコンテンツが該領域Ｂに表示可能となるように、該コンテンツのコンテンツＩＤのコンテンツ描画パラメタを値前記コンテンツ描画ＤＢに記録するコンテンツ移動登録ステップと、
前記コンテンツ描画ＤＢから読み出した前記コンテンツ描画パラメタに基づいて、前記領域Ｂに前記移動させたコンテンツを表示する第１の移動コンテンツ表示ステップと、
前記ユーザにより選択された前記領域ＢのコンテンツのコンテンツＩＤに基づいて前記コンテンツ関連度ＤＢを参照し、該コンテンツＩＤ（第１のコンテンツＩＤ）に類似する第２のコンテンツＩＤを取得し、該第２のコンテンツＩＤのコンテンツが関連コンテンツ群表示領域（以下、領域Ｃと記す）に表示可能となるように、該第２のコンテンツＩＤのコンテンツ描画パラメタを前記コンテンツ描画ＤＢに記録する関連コンテンツ設定ステップと、
前記コンテンツ描画ＤＢから読み出した前記コンテンツ描画パラメタに基づいて、前記類似するコンテンツＩＤに対応するコンテンツを前記領域Ｃに表示する関連コンテンツ表示ステップと、
前記ユーザから前記領域Ｃに表示されているコンテンツを前記領域Ｂに移動する第２の操作情報が入力されると、該コンテンツのコンテンツＩＤを前記ユーザ指定コンテンツＤＢに登録すると共に、該コンテンツが該領域Ｂに表示可能となるように、該コンテンツＩＤのコンテンツ描画パラメタを前記コンテンツ描画ＤＢに記録する関連コンテンツ移動設定ステップと、
前記コンテンツ描画ＤＢから読み出した前記コンテンツ描画パラメタに基づいて、前記類似するコンテンツＩＤに対応するコンテンツを前記領域Ｂに表示する第２の移動コンテンツ表示ステップと、
前記ユーザにより前記領域Ｂから削除するコンテンツが指定された第３の操作情報が入力されると、前記ユーザ指定コンテンツＤＢから指定されたコンテンツＩＤを削除し、前記コンテンツ描画ＤＢに該領域Ｂに当該コンテンツを表示させないようにコンテンツ描画パラメタを更新するコンテンツ削除設定ステップと、
前記コンテンツ削除設定ステップで前記コンテンツ描画ＤＢに登録されたコンテンツ描画パラメタに基づいて、削除領域（以下、領域Ｄ）に前記ユーザにより削除を指定されたコンテンツを表示させる、または、どの領域にも表示させない削除コンテンツ表示ステップと、
を行うことを特徴とするコンテンツ群の発見と整理を補助する方法。
【請求項６】
前記関連コンテンツ設定ステップにおいて、
前記コンテンツ関連度ＤＢから、予め設定されているコンテンツ表示数分の前記第２のコンテンツＩＤを取得して前記コンテンツ描画ＤＢに書き込むステップを行う
請求項５記載のコンテンツ群の発見と整理を補助する方法。
【請求項７】
前記コンテンツ移動登録ステップ及び前記関連コンテンツ移動設定ステップにおいて、
前記ユーザにより選択されたコンテンツのコンテンツＩＤに加えて、登録する時刻も併せて前記ユーザ指定コンテンツＤＢに登録するステップと、
予め設定されているユーザ指定コンテンツ群領域整理ルールに基づいて、前記ユーザ指定コンテンツＤＢに登録されている登録時刻が所定の時刻より前のコンテンツＩＤに対応するコンテンツ描画ＤＢのコンテンツ描画パラメタの値を変更するステップと、
を行う請求項５記載のコンテンツ群の発見と整理を補助する方法。
【請求項８】
コンピュータを、
請求項１乃至４記載の手段として機能させることを特徴とするプログラム。
【請求項９】
請求項８記載のプログラムを格納したことを特徴とするコンピュータ読み取り可能な記録媒体。
【発明の詳細な説明】
【技術分野】
【０００１】
本発明は、コンテンツ群の発見と整理を補助する装置及び方法及びプログラム及びコンピュータ読取可能な記録媒体に係り、特に、ネットワーク上の大量のコンテンツの中から所望のコンテンツに関連するコンテンツを発見し、発見されたコンテンツを整理してユーザに提供するためのコンテンツ群の発見と整理を補助する装置及び方法及びプログラム及びコンピュータ読取可能な記録媒体に関するものである。
【背景技術】
【０００２】
インターネットに代表される情報メディアの発達により、ホームページやブログ等のＷｅｂコンテンツは日々増加している。このような状況で、増加した大量のコンテンツの中から、効率的かつ簡単に必要なコンテンツや既に発見したコンテンツの関連コンテンツを発見し、得られた複数のコンテンツを整理する必要がある。
【０００３】
これらを可能とする既存の技術としては、検索語によってコンテンツを絞り込み、必要なコンテンツを発見するロボット型検索エンジン（例えば、非特許文献１参照）や、コンテンツの利用状況に応じてコンテンツを視覚化することで、コンテンツの発見を支援する技術がある（例えば、特許文献１、２参照）。
【特許文献１】特開２００３−３２３４５４号公報
【特許文献２】特開２００３−３３９０６２号公報
【非特許文献１】http://www.goo.ne.jp/
【発明の開示】
【発明が解決しようとする課題】
【０００４】
しかしながら、上記の従来技術のうち、ロボット型検索エンジンにおいては、ユーザが必要なコンテンツを得るための検索語を想定する必要がある。ロボット型検索エンジンの検索結果は、検索語の組み合わせによって変化するため、ユーザは、何が適切な検索語なのかを逐一想定・評価し、試行錯誤を繰り返さなければならない。そのため、適切な検索語を想定できないユーザは、必要なコンテンツを得ること、既に発見したコンテンツの関連コンテンツを発見することが困難である。また、ロボット型検索エンジンにおいては、検索結果の整理を行う機能は十分に提供されていない。
【０００５】
また、上記の従来技術のうち、視覚化によってコンテンツの発見を支援する技術においては、視覚的な特徴により必要なコンテンツを発見できるが、関連コンテンツを発見するための仕組みが複雑である、または、発見した複数のコンテンツを整理する仕組みがないという問題がある。
【０００６】
例えば、特許文献１の技術において、関連コンテンツは、コンテンツ間の距離が短いという配置位置の特徴によって発見しようと意図している。しかし、関連コンテンツを発見するためには、ユーザによる的確な画面の移動、拡大、縮小といった操作が必要であり、コンテンツ間の距離を求める評価尺度が複数ある場合、そのどれか１つにしか対応できないため、関連コンテンツを発見することが困難であるという問題がある。また、発見したコンテンツを整理する仕組みがないという問題がある。
【０００７】
以上のように、従来の技術では、ユーザに検索語の想定や、複雑な操作の要求をせずに、大量のコンテンツの中から、既に発見したコンテンツの関連コンテンツを発見し、得られた複数のコンテンツを整理することが達成されていない。そのために、Ｗｅｂ上に大量に蓄えられたコンテンツは有効に活用されていない。
【０００８】
本発明は、上記の点に鑑みなされたもので、ユーザが検索語を想定できない場合においても、必要なコンテンツや既に発見したコンテンツの関連コンテンツを発見し、その整理が可能なコンテンツ群の発見と整理を補助する装置及び方法及びプログラム及びコンピュータ読取可能な記録媒体を提供することを目的とする。
【課題を解決するための手段】
【０００９】
図１は、本発明の原理構成図である。
【００１０】
本発明（請求項１）は、表示装置３０１及び入力装置３０２に接続され、ネットワーク上のコンテンツ群を発見し、整理してユーザに提示するためのコンテンツ群の発見と整理を補助する装置であって、
コンテンツのコンテンツＩＤと、コンテンツを表示装置上の領域に表示するためのコンテンツ描画パラメタを格納するコンテンツ描画ＤＢ２０２と、
第１のコンテンツＩＤと第２のコンテンツＩＤと、その関連度を示す関連度パラメタが格納されるコンテンツ関連度ＤＢ２０３と、
ユーザによって指定されたコンテンツのコンテンツＩＤを格納するユーザ指定コンテンツＤＢ２０６と、
表示装置３０１のコンテンツ群表示領域（以下、領域Ａと記す）に、最初にユーザ選択する候補となるコンテンツを表示する初期表示手段と、
入力装置３０２を介してユーザから、表示装置３０１の領域Ａからユーザ指定コンテンツ群表示領域（以下、領域Ｂと記す）にコンテンツを移動させる第１の操作情報、関連コンテンツ群表示領域（以下、領域Ｃと記す）から該領域Ｂにコンテンツを移動させる第２の操作情報、該領域Ｂからコンテンツ削除領域（以下、領域Ｄと記す）にコンテンツを移動させる第３の操作情報が入力されると、それぞれの操作情報に基づいて、ユーザ指定コンテンツＤＢへのコンテンツ登録を行う機能、コンテンツ描画ＤＢにコンテンツ描画パラメタを設定する機能を有する入力制御手段２０５と、
コンテンツ描画ＤＢ２０２からコンテンツ描画パラメタを読み込んで、領域Ａ、領域Ｂ、領域Ｃ、または、領域Ｄに、コンテンツ及び該コンテンツに関する情報を表示する制御を行う表示制御手段２０４と、を有する。
【００１１】
また、本発明（請求項２）は、入力制御手段２０５において、
表示装置３０１を閲覧しているユーザから入力装置３０２を介して、領域Ａに表示されているコンテンツを領域Ｂに移動させる第１の操作情報が入力されると、指定されたコンテンツのコンテンツＩＤを、ユーザ指定コンテンツＤＢに登録すると共に、該コンテンツが該領域Ｂに表示可能となるようにコンテンツ描画パラメタをコンテンツ描画ＤＢに記録するコンテンツ移動登録手段と、
ユーザにより指定されたコンテンツのコンテンツＩＤに基づいて、コンテンツ関連度ＤＢを参照し、該コンテンツＩＤ（第１のコンテンツＩＤ）に類似する第２のコンテンツＩＤを取得し、該第２のコンテンツＩＤのコンテンツが領域Ｃに表示可能となるようにコンテンツ描画パラメタをコンテンツ描画ＤＢに記録する関連コンテンツ設定手段と、
ユーザから領域Ｃに表示されているコンテンツを、領域Ｂに移動させる第２の操作情報が入力されると、該コンテンツのコンテンツＩＤをユーザ指定コンテンツＤＢに登録すると共に、該コンテンツＩＤのコンテンツが該領域Ｂに表示可能となるようにコンテンツ描画パラメタをコンテンツ描画ＤＢに記録する関連コンテンツ移動設定手段と、
ユーザにより領域Ｂから削除するコンテンツが指定された第３の操作情報が入力されると、コンテンツ描画ＤＢに該領域Ｂに当該コンテンツを表示しないようにコンテンツ描画パラメタを更新するコンテンツ削除設定手段と、
を有し、
表示制御手段２０４において、
表示装置３０１の領域Ａに、予めメモリに格納されている最初にユーザが選択する候補となるコンテンツを表示する初期表示手段と、
コンテンツ移動登録手段によりコンテンツ描画ＤＢに登録されたコンテンツ描画パラメタに基づいて、領域Ｂにユーザにより指定されたコンテンツを表示させるユーザ指定表示手段と、
関連コンテンツ設定手段によりコンテンツ描画ＤＢに登録されたコンテンツ描画パラメタに基づいて、領域Ｃにユーザにより指定されたコンテンツに関連するコンテンツを表示する関連コンテンツ表示手段と、
関連コンテンツ設定手段によりコンテンツ描画ＤＢに設定されたコンテンツ描画パラメタに基づいて、領域Ｂにユーザにより指定された関連コンテンツを表示させる関連コンテンツ移動表示手段と、
コンテンツ削除設定手段によりコンテンツ描画ＤＢに登録されたコンテンツ描画パラメタに基づいて、領域Ｄにユーザにより削除を指定されたコンテンツを表示させる、または、どの領域にも表示させない削除コンテンツ表示手段と、を有する。
【００１２】
また、本発明（請求項３）は、関連コンテンツ設定手段において、
コンテンツ関連度ＤＢ２０３から予め設定されているコンテンツ表示数分の第２のコンテンツＩＤを取得してコンテンツ描画ＤＢ２０２に書き込む手段を含む。
【００１３】
また、本発明（請求項４）は、コンテンツ移動登録手段及び関連コンテンツ移動設定手段において、
ユーザにより選択されたコンテンツのコンテンツＩＤに加えて、登録する時刻も併せてユーザ指定コンテンツＤＢ２０６に登録する手段と、
予め設定されているユーザ指定コンテンツ群領域整理ルールに基づいて、ユーザ指定コンテンツＤＢに登録されている登録時刻が所定の時刻より前のコンテンツＩＤに対応するコンテンツの描画ＤＢのコンテンツ描画パラメタの値を変更する手段と、を含む。
【００１４】
図２は、本発明の原理を説明するための図である。
【００１５】
本発明（請求項５）は、ネットワーク上のコンテンツ群を発見し、整理してユーザに提示するためのコンテンツ群の発見と整理を補助する方法であって、
コンテンツのコンテンツＩＤと、コンテンツを表示装置上の領域に表示するためのコンテンツ描画パラメタを格納するコンテンツ描画ＤＢと、
第１のコンテンツＩＤと第２のコンテンツＩＤと、その関連度を示す関連度パラメタが格納されるコンテンツ関連度ＤＢと、
ユーザによって指定されたコンテンツのコンテンツＩＤを格納するユーザ指定コンテンツＤＢと、を有し、表示装置及び入力装置に接続された装置において、
表示装置のコンテンツ群表示領域（以下、領域Ａと記す）に、最初にユーザ選択する候補となるコンテンツを表示する初期表示ステップ（ステップ１，２）と、
入力装置を介してユーザから、表示装置の領域Ａからユーザ指定コンテンツ群表示領域（以下、領域Ｂと記す）にコンテンツを移動させる第１の操作情報が入力されると（ステップ４）、該コンテンツのコンテンツＩＤをユーザ指定コンテンツＤＢに登録する（ステップ５）と共に、コンテンツ描画ＤＢに、移動させたコンテンツのコンテンツＩＤのコンテンツ描画パラメタの値を更新する（ステップ６）コンテンツ移動登録ステップと、
コンテンツ描画ＤＢから読み出したコンテンツ描画パラメタに基づいて、領域Ｂに移動させたコンテンツを表示する第１の移動コンテンツ表示ステップ（ステップ７）と、
ユーザにより選択された領域ＢのコンテンツのコンテンツＩＤに基づいてコンテンツ関連度ＤＢを参照し、該コンテンツＩＤ（第１のコンテンツＩＤ）に類似する第２のコンテンツＩＤを取得し（ステップ８）、該第２のコンテンツＩＤを関連コンテンツ群表示領域（以下、領域Ｃと記す）に表示可能となるように、コンテンツ描画ＤＢのコンテンツ描画パラメタの値を更新する（ステップ９）関連コンテンツ設定ステップと、
コンテンツ描画ＤＢから読み出したコンテンツ描画パラメタに基づいて、類似するコンテンツＩＤに対応するコンテンツを領域Ｃに表示する関連コンテンツ表示ステップ（ステップ１０）と、
ユーザから領域Ｃに表示されているコンテンツを領域Ｂに移動する第２の操作情報が入力されると（ステップ４）、該コンテンツのコンテンツＩＤをユーザ指定コンテンツＤＢに登録する（ステップ１１）と共に、コンテンツ描画ＤＢの該コンテンツＩＤに対応するコンテンツ描画パラメタを該領域Ｂに移動する内容に更新する（ステップ１２）関連コンテンツ移動設定ステップと、
コンテンツ描画ＤＢから読み出したコンテンツ描画パラメタに基づいて、類似するコンテンツＩＤに対応するコンテンツを領域Ｂに表示する第２の移動コンテンツ表示ステップ（ステップ１３）と、
ユーザにより領域Ｂから削除するコンテンツが指定される（ステップ３）と、ユーザ指定コンテンツＤＢから指定されたコンテンツＩＤを削除し（ステップ１４）コンテンツ描画ＤＢに該領域Ｂに当該コンテンツを表示させないようにコンテンツ描画パラメタを更新するコンテンツ削除設定ステップ（ステップ１５）と、
コンテンツ削除設定ステップでコンテンツ描画ＤＢに登録されたコンテンツ描画パラメタに基づいて、削除領域（以下、領域Ｄ）にユーザにより削除を指定されたコンテンツを表示させる、または、どの領域にも表示させない削除コンテンツ表示ステップ（ステップ１６）と、を行う。
【００１６】
また、本発明（請求項６）は、関連コンテンツ設定ステップにおいて、
コンテンツ関連度ＤＢから、予め設定されているコンテンツ表示数分の第２のコンテンツＩＤを取得してコンテンツ描画ＤＢに書き込むステップを行う。
【００１７】
また、本発明（請求項７）は、コンテンツ移動登録ステップ及び関連コンテンツ移動設定ステップにおいて、
ユーザにより選択されたコンテンツのコンテンツＩＤに加えて、登録する時刻も併せてユーザ指定コンテンツＤＢに登録するステップと、
予め設定されているユーザ指定コンテンツ群領域整理ルールに基づいて、ユーザ指定コンテンツＤＢに登録されている登録時刻が所定の時刻より前のコンテンツＩＤに対応するコンテンツ描画ＤＢのコンテンツ描画パラメタの値を変更するステップと、を行う。
【００１８】
本発明（請求項８）は、コンピュータを、請求項１乃至４記載の手段として機能させるプログラムである。
【００１９】
本発明（請求項９）は、請求項８記載のプログラムを格納したコンピュータ読み取り可能な記録媒体である。
【発明の効果】
【００２０】
上記のように本発明によれば、表示装置に表示される「コンテンツ群表示領域」、「ユーザ指定コンテンツ群表示領域」、「関連コンテンツ群表示領域」の３つの領域を用いたコンテンツの配置、及び、関連コンテンツの自動抽出により、ユーザが検索語を想定できない場合においても、必要なコンテンツや既に発見したコンテンツの関連コンテンツの発見ができ、さらに、ユーザが複雑な操作をしなくても、必要なコンテンツや既に発見したコンテンツの関連コンテンツの発見、コンテンツの整理が可能となる。
【００２１】
また、複数の関連度を用いることにより、ロボット型検索エンジンにおける検索語の付け足しや、従来の視覚化方式の拡大（ズームアップ）のような、単なる絞込みだけではない、関連コンテンツの検索が可能となる。
【００２２】
これにより、ユーザが必要な情報に辿り着くことを補助し、Ｗｅｂコンテンツの有効利用を促進する効果がある。
【発明を実施するための最良の形態】
【００２３】
以下、図面と共に本発明の実施の形態を説明する。
【００２４】
［第１の実施の形態］
本実施の形態では、コンテンツ群の発見と整理を補助する装置の構成と動作について説明する。
【００２５】
最初に、本実施の形態における表示装置に表示される各領域のイメージを説明する。
【００２６】
図３は、本発明の第１の実施の形態における表示装置に表示される領域を示す図である。
【００２７】
同図に示す表示領域には、ユーザが選択可能なコンテンツを表示するコンテンツ群表示領域Ａ、ユーザが選択したコンテンツを表示するユーザ指定コンテンツ群表示領域Ｂ、ユーザ指定コンテンツ群表示領域Ｂに表示されているコンテンツに関連するコンテンツ群を表示する関連コンテンツ群表示領域Ｃ、ユーザにより削除されたコンテンツを表示する削除領域Ｄがある。なお、削除領域Ｄは必須ではなく、ユーザから削除すべきコンテンツが指定された場合に、どの領域にもコンテンツのアイコンを表示しないようにすることも可能である。
【００２８】
同図において、破線の囲みは実際に表示されるものではなく、同図の説明である。
【００２９】
各領域の黒丸はコンテンツを示しており、ユーザは、表示されている黒丸にマウスカーソルを合わせてクリックすることにより、当該黒丸（コンテンツ）に対応するタイトルが表示され、コンテンツを指定することができる。
【００３０】
次に、本発明の動作の概要を説明する。
【００３１】
図４は、本発明の第１の実施の形態における一連の動作の概要のフローチャートである。
【００３２】
ステップ１０１）  コンテンツ群表示領域（以下、領域Ａと記す）に、ユーザが選択するコンテンツ候補として、表示対象のコンテンツうち全部または一部を表示する。
【００３３】
ステップ１０２）  ユーザに領域Ａからユーザ指定コンテンツ群表示領域（以下、領域Ｂと記す）に移動するコンテンツを指定させ、ユーザから指定されたコンテンツを領域Ｂに表示する。
【００３４】
上記のステップ１０１、１０２によりユーザは必要なコンテンツを発見することができる。
【００３５】
ステップ１０３）  ユーザが領域Ｂに移動したコンテンツの周辺検索結果（関連コンテンツ）を関連コンテンツ群表示領域（以下、領域Ｃと記す）に表示する。
【００３６】
ステップ１０４）  ユーザに領域Ｃから領域Ｂに移動するコンテンツを指定させ、領域Ｂにユーザが指定したコンテンツを表示する。
【００３７】
上記のステップ１０３，１０４により、ユーザは既に発見したコンテンツの関連コンテンツを発見することができる。
【００３８】
ステップ１０５）  ユーザにユーザ指定コンテンツ群表示領域から削除するコンテンツを指定させ、領域Ｂからユーザが指定したコンテンツを削除する。
【００３９】
上記のステップ１０５により得られた複数のコンテンツを整理することができる。
【００４０】
図５は、本発明の第１の実施の形態におけるコンテンツ群の発見と整理を補助する装置の構成を示す。
【００４１】
同図に示すコンテンツ群の発見と整理を補助する装置（以下、単に装置と記す）２０１は、当該装置２０１の利用するデータを作成し、出力するコンテンツ分析部１０１、装置２０１の出力としてコンテンツを表示する表示装置３０１、装置２０１にユーザの入力を与える入力装置３０２、表示領域の設定情報が格納されているメモリ４０１及び関連コンテンツ表示数が格納されているメモリ４０２に接続されている。
【００４２】
装置２０１は、コンテンツ描画ＤＢ２０２、コンテンツ関連度ＤＢ２０３、表示制御部２０４、入力制御部２０５、ユーザ指定コンテンツＤＢ２０６から構成される。
【００４３】
以下に、各構成要素の機能を説明する。
【００４４】
■コンテンツ描画ＤＢ２０２：
コンテンツ描画ＤＢ２０２には、コンテンツＩＤとコンテンツ描画パラメタが格納されている。コンテンツ描画パラメタは、コンテンツをアイコンとして表示する大きさ、アイコンを表示する位置情報（Ｘ座標、Ｙ座標）及びコンテンツのタイトルを含む。
【００４５】
コンテンツ描画ＤＢ２０２には、図６に示すように、コンテンツＩＤ、コンテンツ描画パラメタが、レコード番号毎に蓄積されている。コンテンツＩＤは、コンテンツを一意に特定できるよう、コンテンツ毎に異なる番号を割り当てておく。コンテンツ描画パラメタは、コンテンツＩＤに対応するコンテンツの描画状態を表すパラメタである。図４では、描画状態、大きさ、Ｘ座標、Ｙ座標、タイトルを例として示しているが、この例に限定されることなく、図６以外のコンテンツ描画パラメタを持つようにしてもよい。
【００４６】
図６では、レコード番号がｒｎ番目のレコードは、下記のように表すこととする。
【００４７】
レコード番号：ｒｎ
コンテンツＩＤ：ｃｉｄ（ｒｎ）
コンテンツ描画パラメタ：ＣＰｎ（ｒｎ）
■コンテンツ関連度ＤＢ２０３：
コンテンツ関連度ＤＢ２０３には、装置２０１で扱うコンテンツ間の関連度情報を格納しておく。
【００４８】
コンテンツ関連度ＤＢ２０３には、図７に示すように、コンテンツＩＤ１、コンテンツＩＤ２、関連度パラメタが、レコード番号毎に蓄積されている。コンテンツＩＤ１，コンテンツＩＤ２は、コンテンツ描画ＤＢ２０２のコンテンツＩＤと同じコンテンツを表す番号である。関連度パラメタは、コンテンツ間の関連度を表す１つ以上のパラメタである。図７では、類似度Ｒを例として示している（類似度Ｒがコンテンツ間のどのような関連性を表すかは本発明では問わない）。
【００４９】
図７では、レコード番号がｒｎ番目のレコードは、下記のように表すこととする。
【００５０】
レコード番号：ｒｎ
コンテンツＩＤ１：ｃｉｄ１（ｒｎ）
コンテンツＩＤ２：ｃｉｄ２（ｒｎ）
関連度パラメタ：ＫＰｎ（ｒｎ）
ユーザ指定コンテンツＤＢ２０６には、後述する領域Ｂに表示されるコンテンツの情報が格納される。
【００５１】
ユーザ指定コンテンツＤＢ２０６には、図８に示すように、コンテンツＩＤがレコード番号毎に蓄積されている。コンテンツＩＤは、コンテンツ描画ＤＢ２０２のコンテンツＩＤと同じコンテンツを表す番号である。
【００５２】
図８では、レコード番号がｒｎ番目のレコードは、下記のように表すこととする。
【００５３】
レコード番号：ｒｎ
コンテンツＩＤ：ｃｉｄ（ｒｎ）
■コンテンツ分析部１０１：
装置２０１に接続されるコンテンツ分析部１０１は、Ｗｅｂサーバ等によって収集されたコンテンツの情報を基に、コンテンツ描画ＤＢ２０２及びコンテンツ関連度ＤＢ２０３に格納されるデータを作成する。データの作成方法は、パターン認識、自然言語処理など、Ｗｅｂ上のコンテンツをデータ化する方法であれば何であってもよい。一例として、コンテンツへのアクセス数をコンテンツ描画パラメタ「大きさ」として格納することが考えられる。
【００５４】
また、最初にユーザに対して表示装置３０１に表示するコンテンツに対して初期値としてコンテンツ描画パラメタ「描画状態」＝１を、それ以外のコンテンツに対してコンテンツ描画パラメタ「描画状態」＝０を与える。その他、コンテンツ描画パラメタとして、図６に示すように、Ｘ座標、Ｙ座標、タイトル等を設定することが可能である。
【００５５】
また、コンテンツ関連度ＤＢ２０３に対しては、コンテンツ分析部１０１は、図７に示すように、コンテンツ間の類似度Ｒを設定する。図５の例では、コンテンツＩＤ１［１０００１］とコンテンツＩＤ２［１０００２］の類似度が「０．６」と設定されている。
【００５６】
上記のような方法により図６、図７に示すようなコンテンツ描画ＤＢ２０２,コンテンツ関連度ＤＢ２０３を生成する。
【００５７】
■表示制御部２０４：
表示制御部２０４は、コンテンツ描画ＤＢ２０２のコンテンツ描画パラメタＣｐｎ（ｒｎ）とメモリ４０１から表示領域の設定情報が入力される。メモリ４０１からの表示領域の設定情報を取得すると、表示装置３０１に、図３に示すようにコンテンツ群表示領域（領域Ａ）、ユーザ指定コンテンツ群表示領域（領域Ｂ）、関連コンテンツ群表示領域（領域Ｃ）、コンテンツ削除領域（領域Ｄ）の４つの領域を表示する。
【００５８】
また、コンテンツ描画ＤＢ２０２に蓄積されたコンテンツ描画パラメタを用いて、コンテンツを表示装置３０１に表示する。本実施の形態では、コンテンツ描画パラメタ「描画状態」「大きさ」「Ｘ座標」「Ｙ座標」「テキスト」を用いて、「描画状態」で指定された描画先領域の（Ｘ座標、Ｙ座標）に、半径大きさの円という図形でコンテンツを表示装置３０１上に表示する。また、図形上にマウスカーソルが乗った場合、図形（コンテンツ）に対応するコンテンツ描画ＤＢ２０２のコンテンツ描画パラメタの「タイトル」を読み込んで、テキストをポップアップ表示する。
【００５９】
描画状態と表示装置３０１の描画先領域の関係は以下のようになる。
【００６０】
描画状態            描画先
０                描画しない
１                コンテンツ群表示領域Ａ
２                ユーザ指定コンテンツ群表示領域Ｂ
３                関連コンテンツ群表示領域Ｃ
■入力装置３０２：
入力装置３０２は、ユーザからの操作情報を取得し、入力制御部２０５に転送する。
【００６１】
本実施の形態では、ユーザは以下の３つの操作を行うことができる。
【００６２】
・操作１：コンテンツ群表示領域Ａからユーザ指定コンテンツ群表示領域Ｂにコンテンツを表す図形をマウスでドラック＆ドロップし、コンテンツを表す図形を移動する。
【００６３】
・操作２：関連コンテンツ群表示領域Ｃからユーザ指定コンテンツ群表示領域Ｂにコンテンツを表す図形をマウスでドラッグ＆ドロップし、コンテンツを表す図形を移動する。
【００６４】
・操作３：ユーザ指定コンテンツ群表示領域Ｂからコンテンツ削除領域Ｄにコンテンツを現す図形をマウスでドラッグ＆ドロップし、コンテンツを表す図形を削除する。
【００６５】
本実施の形態では、入力装置３０２が入力制御部２０５に送信する操作情報は以下の３つである。
【００６６】
・操作情報１：コンテンツ群表示領域Ａからユーザ指定コンテンツ群表示領域Ｂに移動するコンテンツＩＤと移動先のＸ座標、Ｙ座標；
・操作情報２：関連コンテンツ群表示領域Ｃからユーザ指定コンテンツ群表示領域Ｂに移動するコンテンツＩＤと移動先のＸ座標、Ｙ座標；
・操作情報３：ユーザ指定コンテンツ群表示領域Ｂから削除するコンテンツＩＤ：
■入力制御部２０５：
入力制御部２０５には、以下の情報が入力される。
【００６７】
入力情報１：入力装置３０２よりユーザの操作情報１〜３；
入力情報２：コンテンツ描画ＤＢ２０２からコンテンツ描画パラメタＣＰｎ（ｒｎ）；
入力情報３：コンテンツ関連度ＤＢ２０３から関連度パラメタＫｎ（ｒｎ）；
入力情報４：メモリ４０２より関連コンテンツ表示数（本実施の形態では"３"とする）；
入力制御部２０５の機能は以下の通りである。
【００６８】
機能１：入力情報１が「操作情報１」「操作情報２」であった場合：
・ユーザ指定コンテンツＤＢ２０６に操作情報のコンテンツＩＤを書き込み、ユーザ指定コンテンツであることを記録する。
【００６９】
・コンテンツ描画ＤＢ２０２の、操作情報のコンテンツＩＤに対応するコンテンツ描画パラメタ「描画情報」「Ｘ座標」「Ｙ座標」の値に、"２"、操作情報のＸ座標、操作情報のＹ座標を書き込み、領域Ｂに移動したことを記録する。
【００７０】
・コンテンツ関連度ＤＢ２０３の、コンテンツＩＤ１が操作情報のコンテンツＩＤに対応するレコードのうち、類似度Ｒが高い上位関連コンテンツ表示数件分のコンテンツＩＤ２を取得し、関連コンテンツを決定する。
【００７１】
・コンテンツ描画ＤＢ２０２の、上記関連コンテンツのコンテンツＩＤ２に対応するコンテンツ描画パラメタ「描画情報」の値に、"３"を書き込み、領域Ｃに移動したことを記録する。コンテンツ描画パラメタ「Ｘ座標」「Ｙ座標」の値は、ランダムに決定する。
【００７２】
機能２：入力情報２が操作情報３であった場合：
・ユーザ指定コンテンツＤＢ２０６のコンテンツＩＤが、操作情報のコンテンツＩＤであるレコードを削除し、ユーザ指定コンテンツであることを解除する。
【００７３】
・コンテンツ描画ＤＢ２０２の操作情報のコンテンツＩＤに対応するコンテンツ描画パラメタ「描画情報」の値に、"０"を書き込み、画面上に表示しないことにする。
【００７４】
入力制御部２０５の出力は、コンテンツ描画ＤＢ２０２に対して、操作情報のコンテンツＩＤ，コンテンツ関連度ＤＢ２０３によって選択されたコンテンツＩＤに対応するコンテンツ描画パラメタ及び、ユーザ指定コンテンツＤＢ２０６に対して、操作情報のコンテンツＩＤに対応するコンテンツＩＤｃｉｄ（ｒｎ）を出力する。
【００７５】
図９は、本発明の第１の実施の形態における入力制御部・表示制御部の動作のフローチャートである。なお、以下の動作を行う前に、予め、コンテンツ分析部１０１により、コンテンツ描画ＤＢ２０２、コンテンツ関連度ＤＢ２０３に格納されるデータが作成され、これらのＤＢに格納されているものとする。
【００７６】
ステップ２０１）  最初は初期操作が行われるので、ステップ２０２に移行し、それ以外はステップ２０３に移行する。
【００７７】
ステップ２０２）  初期操作の場合は、表示制御部２０４は、メモリ４０１から表示領域の設定情報を取得して表示すると共に、領域Ａに最初にユーザが選択する候補となるコンテンツをコンテンツ描画ＤＢ２０２の描画パラメタを読み込んで表示する。この場合は、コンテンツ描画ＤＢ２０２の描画状態が「１」のレコードを読み込んで表示する。
【００７８】
ステップ２０３）  操作情報３（領域Ｂから削除するコンテンツＩＤ）が入力された場合は、ステップ２１４に移行し、それ以外の場合は、ステップ２０４に移行する。
【００７９】
ステップ２０４）  操作情報１（領域Ａから領域Ｂに移動するコンテンツＩＤと移動先のＸ座標、Ｙ座標）が入力された場合は、ステップ２０５に移行し、操作情報２（領域Ｃから領域Ｂに移動するコンテンツＩＤと移動先のＸ座標、Ｙ座標）が入力された場合は、ステップ２１１に移行する。
【００８０】
ステップ２０５）  入力制御部２０５は、ユーザにより入力装置３０２を介して選択されたコンテンツのコンテンツＩＤをユーザ指定コンテンツＤＢ２０６に格納する。
【００８１】
ステップ２０６）  次に入力制御部２０５は、ユーザにより選択されたコンテンツのコンテンツＩＤと、その描画パラメタ（「描画状態」２、「Ｘ座標」＝操作情報のＸ座標、「Ｙ座標」＝操作情報のＹ座標、及びタイトル）をコンテンツ描画ＤＢ２０２に格納する。
【００８２】
ステップ２０７）  表示制御部２０４は、ステップ２０６でユーザにより選択されたコンテンツの描画パラメタ（ＣＰｎ（ｒｎ））をコンテンツ描画ＤＢ２０２から読み出し、領域Ｂにコンテンツを表示する。
【００８３】
ステップ２０８）  入力制御部２０５は、ステップ２０７で領域Ｂに表示されたコンテンツのコンテンツＩＤに基づいてコンテンツ関連度ＤＢ２０３を検索する。このとき、コンテンツ関連度ＤＢ２０３からユーザにより選択されたコンテンツのコンテンツＩＤをコンテンツＩＤ１とし、当該コンテンツＩＤ１との類似度Ｒが最も高いコンテンツＩＤ２を関連コンテンツとして取得する。このとき、メモリ４０２から入力された関連コンテンツ表示数に対応する関連コンテンツを抽出し、関連コンテンツの描画パラメタ（Ｋｎ（ｒｎ））を入力制御部２０５に出力する。例えば、関連コンテンツ表示数＝３である場合は、類似度が高い順に３つのコンテンツのコンテンツＩＤを取得する。
【００８４】
ステップ２０９）  入力制御部２０５は、ステップ２０８で取得した関連コンテンツの描画パラメタ（Ｋｎ（ｒｎ））をコンテンツ描画ＤＢ２０２に設定する。このときの描画パラメタの描画状態は「３」となる。
【００８５】
ステップ２１０）  表示制御部２０４は、コンテンツ描画ＤＢ２０２からユーザから選択されたコンテンツに関連する関連コンテンツの描画パラメタ（描画状態＝３）を読み込んで、領域Ｃに当該関連コンテンツを表示する。
【００８６】
ステップ２１１）  ステップ２０４において、操作情報２（領域Ｃから領域Ｂに移動）が入力されている場合には、入力制御部２０５は、ユーザから入力装置３０２を介して選択された領域ＣのコンテンツのコンテンツＩＤをユーザ指定コンテンツＤＢ２０６に格納する。
【００８７】
ステップ２１２）  入力制御部２０５は、ユーザに選択されたコンテンツの描画パラメタＣＰｎ（ｒｎ）をコンテンツ描画ＤＢ２０２に設定する。このときの描画パラメタの描画状態は「２」となる。
【００８８】
ステップ２１３）  表示制御部２０４は、ユーザから選択されたコンテンツの描画パラメタ（ＣＰｎ（ｒｎ））をコンテンツ描画ＤＢ２０２から読み出して、当該コンテンツを領域Ｂに表示し、ステップ２０８に移行する。
【００８９】
ステップ２１４）  ステップ２０３において、操作情報３（領域Ｂから削除するコンテンツＩＤ）が入力された場合には、入力制御部２０５は、ユーザ指定コンテンツＤＢ２０６から選択されたコンテンツのコンテンツＩＤを削除する。
【００９０】
ステップ２１５）  さらに、入力制御部２０５は、コンテンツ描画ＤＢの描画パラメタに表示しないことを示す描画パラメタ（描画状態：０）を設定し、ユーザ指定コンテンツであることを解除する。
【００９１】
ステップ２１６）  表示制御部２０４は、コンテンツ描画ＤＢ２０２から描画パラメタＣＰｎ（ｒｎ）を読み出して、領域Ｂから選択されたコンテンツを削除するか、または、削除領域Ｄに移動させる。
【００９２】
［第２の実施の形態］
本実施の形態では、ユーザ指定コンテンツ群表示領域のコンテンツをユーザ指定コンテンツ群表示領域整理ルールに従って整理する例を説明する。
【００９３】
本実施の形態の表示イメージを図１０に示す。本実施の形態では、領域Ａ内にジャンル毎にジャンル名を表示する領域を設け、コンテンツを星型で表示し、星型は、コンテンツ描画ＤＢ２０２に設定されているパラメタにより大きさが変化する。領域Ｂ「お気に入り」には領域Ａからユーザが選択したコンテンツを表示する。領域Ｃ「レコメンド」を表示する。
【００９４】
図１１は、本発明の第２の実施の形態におけるコンテンツ群の発見と整理を補助する装置の構成を示す。同図において、図３と同一構成部分には同一符号を付す。
【００９５】
同図に示す構成は図３と同様であるが、個々の構成要素の機能が異なる。
【００９６】
■メモリ４０２：
まず、メモリ４０２には、ユーザ指定コンテンツ群表示領域整理ルールが格納されており、ユーザ指定コンテンツＤＢ２０６の登録時刻が一定時刻より前のコンテンツＩＤに対応するコンテンツ描画ＤＢ２０２のコンテンツ描画パラメタ「大きさ」の値を半分にする、というルールを設定する。当該ルールは、入力制御部２０５で用いられる。
【００９７】
図１１に示す装置２０１の構成において、コンテンツ描画ＤＢ２０２、コンテンツ関連度ＤＢ２０３、ユーザ指定コンテンツＤＢ２０６、表示制御部２０４、入力制御部２０５については、第１の実施の形態との差分のみを以下に示す。
【００９８】
■コンテンツ描画ＤＢ２０２：
コンテンツ描画ＤＢ２０２は、図１２に示すように図４の項目に概要文、色、ジャンルが追加されている。
【００９９】
■コンテンツ関連度ＤＢ２０３：
コンテンツ関連度ＤＢ２０３は、図１３に示すように図５の関連度パラメタを、http://www.ntt.co.jp/saiyo/rd/review/2003/ct/02.htmlに記載されている手法等で求めた文書的な類似度を表す文書類似度と、http://www.ntts.co.jp/products/cococuore/の手法等で求めるユーザの利用状況的な近さである協調度の２つとする。
【０１００】
■ユーザ指定コンテンツＤＢ２０６：
ユーザ指定コンテンツＤＢ２０６は、図１４に示すように、図６の項目に、コンテンツ登録時刻が追加されている。
【０１０１】
■表示制御部２０４：
表示制御部２０４は、コンテンツ描画ＤＢ２０２のコンテンツ描画パラメタを読み込んで、「描画状態」、「大きさ」、「色」、「Ｘ座標」、「Ｙ座標」、「ジャンル」、「テキスト」、「概要文」を用いて、図１０に示すような描画状態で指定された描画先領域の、Ｘ座標、Ｙ座標に、半径（＝大きさ）の星型ｅという図形コンテンツを表示する。また、「ジャンル」値を用いてコンテンツ群表示領域Ａにジャンルを表す領域ｆを表示する。また、図形（コンテンツ）上にユーザのマウス操作によりマウスカーソルが載った場合、コンテンツ描画ＤＢ２０２からテキストと概要文をポップアップ表示する。
【０１０２】
■入力制御部２０５：
入力制御部２０５は、第１の実施の形態における入力１〜４の他に、入力５として、メモリ４０２からユーザ指定コンテンツ群表示領域整理ルールが入力される。入力５が入力された場合は、当該ルールを用いて、ユーザ指定コンテンツ群表示領域Ｂ上に表示されているコンテンツを整理する。
【０１０３】
また、入力１として、前述の操作情報１（領域Ａから領域Ｂに移動するコンテンツＩＤと移動先のＸ座標、Ｙ座標）または、操作情報２（領域Ｃからユーザ指定コンテンツ群表示領域Ｂに移動するコンテンツＩＤと移動先のＸ座標、Ｙ座標）が入力された場合は、ユーザ指定コンテンツＤＢ２０６に、操作情報のコンテンツＩＤと、現在時刻を登録時刻として書き込み、ユーザ指定コンテンツであることを記録する。
【０１０４】
コンテンツ関連度ＤＢ２０３の、コンテンツＩＤ１が操作情報のコンテンツＩＤに対応するレコードのうち、文書類似度が最も高いものを１件、協調度の高いものを１件、文書類似度と協調度の和が最も高いものを１件の合計３件のコンテンツＩＤを取得し、関連コンテンツを決定する。
【０１０５】
コンテンツ描画ＤＢ２０２に対しては、第１の実施の形態と同様に、関連コンテンツのコンテンツＩＤ２に対応するコンテンツ描画パラメタ「描画情報」の値に、"３"を書き込み、関連コンテンツ群表示領域Ｃに移動したことを記録する。
【０１０６】
図１５は、本発明の第２の実施の形態における入力制御部・表示制御部の動作のフローチャートである。
【０１０７】
ステップ３０１）  最初は初期操作が行われるので、ステップ３０２に移行し、それ以外はステップ３０３に移行する。
【０１０８】
ステップ３０２）  初期操作の場合は、表示制御部２０４は、メモリ４０１から表示領域の設定情報を取得して表示すると共に、領域Ａに最初にユーザが選択する候補となるコンテンツをコンテンツ描画ＤＢ２０２の描画パラメタを読み込んで表示する。この場合は、コンテンツ描画ＤＢ２０２の描画状態が「１」のレコードを読み込んで表示する。
【０１０９】
ステップ３０３）  操作情報３（領域Ｂから削除するコンテンツＩＤ）が入力された場合は、ステップ３１４に移行し、それ以外の場合は、ステップ３０４に移行する。
【０１１０】
ステップ３０４）  操作情報１（領域Ａから領域Ｂに移動するコンテンツＩＤと移動先のＸ座標、Ｙ座標）が入力された場合は、ステップ３０５に移行し、操作情報２（領域Ｃから領域Ｂに移動するコンテンツＩＤと移動先のＸ座標、Ｙ座標）が入力された場合は、ステップ３１１に移行する。
【０１１１】
ステップ３０５）  入力制御部２０５は、ユーザにより入力装置３０２を介して選択されたコンテンツのコンテンツＩＤと、現在時刻を装置内のタイマから取得して、登録時刻としてユーザ指定コンテンツＤＢ２０６に格納する。
【０１１２】
ステップ３０６）  次に入力制御部２０５は、ユーザにより選択されたコンテンツのコンテンツＩＤと、その描画パラメタ（「描画状態」２、「Ｘ座標」＝操作情報のＸ座標、「Ｙ座標」＝操作情報のＹ座標、及びタイトル）をコンテンツ描画ＤＢ２０２に格納する。
【０１１３】
なお、このとき、メモリ４０２のユーザ指定コンテンツ群表示領域整理ルールにより、登録時刻が一定時刻より前のコンテンツＩＤに対応するコンテンツ描画パラメタの「大きさ」の値を半分にし、当該コンテンツ描画ＤＢ２０２の当該レコードのパラメタを更新する。
【０１１４】
ステップ３０７）  表示制御部２０４は、コンテンツ描画ＤＢ２０２から描画状態＝２のコンテンツの描画パラメタ（ＣＰｎ（ｒｎ））を読み出し、領域Ｂにコンテンツを表示する。描画パラメタとして、描画状態＝２、大きさ、色、Ｘ座標、Ｙ座標、ジャンル、テキスト、概要文を読み出して、描画状態「２」で指定された領域ＢのＸ座標、Ｙ座標に「大きさ」で指定されている半径の星型でコンテンツを表示する。このとき、ステップ３０６においてユーザ指定コンテンツ群表示領域整理ルールが適用されている場合には、所定時間より前のコンテンツの星型の大きさが半分になって表示される。
【０１１５】
ステップ３０８）  入力制御部２０５は、ステップ３０７で領域Ｂに表示されたコンテンツのコンテンツＩＤに基づいてコンテンツ関連度ＤＢ２０３を検索する。このとき、ユーザにより選択されたコンテンツのコンテンツＩＤをコンテンツＩＤ１とし、当該コンテンツＩＤ１との類似度Ｒが最も高いコンテンツＩＤ２を関連コンテンツとして取得する。このとき、メモリ４０２で指定されている条件が関連コンテンツ表示数＝３である場合は、コンテンツ関連度ＤＢ２０３から文書類似度、協調度、文書類似度＋協調度が最も高い３件を抽出する。
【０１１６】
ステップ３０９）  入力制御部２０５は、ステップ３０８で取得した関連コンテンツの描画パラメタ（Ｋｎ（ｒｎ））をコンテンツ描画ＤＢ２０２に設定する。このときの描画パラメタの描画状態は「３」となる。
【０１１７】
ステップ３１０）  表示制御部２０４は、コンテンツ描画ＤＢ２０２からユーザから選択されたコンテンツに関連する関連コンテンツの描画パラメタ（描画状態＝３）を読み込んで、領域Ｃに当該関連コンテンツを表示する。
【０１１８】
ステップ３１１）  ステップ３０４において、操作情報２（領域Ｃから領域Ｂに移動）が入力されている場合には、入力制御部２０５は、ユーザから入力装置３０２を介して選択された領域ＣのコンテンツのコンテンツＩＤと現在時刻を登録時刻としてをユーザ指定コンテンツＤＢ２０６に格納する。
【０１１９】
ステップ３１２）  入力制御部２０５は、ユーザに選択されたコンテンツの描画パラメタＣＰｎ（ｒｎ）をコンテンツ描画ＤＢ２０２に設定する。このときの描画パラメタの描画状態は「２」となる。このとき、メモリ４０２のユーザ指定コンテンツ群表示領域整理ルールにより、登録時刻が一定時刻より前のコンテンツＩＤに対応するコンテンツ描画パラメタの「大きさ」の値を半分にし、当該コンテンツ描画ＤＢ２０２の当該レコードのパラメタを更新する。
【０１２０】
ステップ３１３）  表示制御部２０４は、ユーザから選択されたコンテンツの描画パラメタ（ＣＰｎ（ｒｎ））をコンテンツ描画ＤＢ２０２から読み出して、当該コンテンツを領域Ｂに表示し、ステップ３０８に移行する。このとき、ステップ３１２においてユーザ指定コンテンツ群表示領域整理ルールが適用されている場合には、当該ルールが適用されたコンテンツについては大きさが半分になった星型が表示される。
【０１２１】
ステップ３１４）  ステップ３０３において、操作情報３（領域Ｂから削除するコンテンツＩＤ）が入力された場合には、入力制御部２０５は、ユーザ指定コンテンツＤＢ２０６から選択されたコンテンツのコンテンツＩＤのレコードを削除する。
【０１２２】
ステップ３１５）  さらに、入力制御部２０５は、コンテンツ描画ＤＢの描画パラメタに表示しないことを示す描画パラメタ（描画状態：０）を設定し、ユーザ指定コンテンツであることを解除する。
【０１２３】
ステップ３１６）  表示制御部２０４は、コンテンツ描画ＤＢ２０２から描画パラメタＣＰｎ（ｒｎ）を読み出して、領域Ｂから選択されたコンテンツを削除するか、または、削除領域Ｄに移動させる。
【０１２４】
上記のステップ３０８では、例えば、入力制御部２０５は、コンテンツ関連度ＤＢ２０３から、コンテンツＩＤ１"１０００１"の関連コンテンツを検索する。このときの条件として、文書類似度が最も高いコンテンツとして、"１０００３"、協調度が最も高いコンテンツとして"１０００４"、文書類似度と協調度の和が最も大きいコンテンツとして"１０００２"の３つを取得する。コンテンツ描画ＤＢ２０２に、関連コンテンツＩＤ"１０００３"、"１０００４"、"１０００２"の描画パラメタを書き込む。
【０１２５】
これにより、表示制御部２０４は、コンテンツ描画ＤＢ２０２から、上記の関連コンテンツＩＤのコンテンツ描画パラメタを読み込んで関連コンテンツ群表示領域Ｃ（図１０のレコメンド）に表示する。
【０１２６】
また、上記のように表示されている状態から、入力装置３０２を介してユーザから領域Ａから領域Ｂにコンテンツが移動された場合には、入力制御部２０５は、ユーザ指定コンテンツＤＢ２０６に、移動されたコンテンツＩＤと共に、その時点での時刻をコンテンツ登録時刻を設定する。さらに、コンテンツ描画ＤＢ２０２に領域Ｂに移動したことを示すパラメタ（描画状態＝２）を書き込む。このとき、ユーザ指定コンテンツ群表示領域整理ルールにおいて『「２００７／０６／０４」以前のコンテンツの大きさを半分にする』というルールが適用されている場合には、図１４の例では、ユーザ指定コンテンツＤＢ２０のコンテンツＩＤ「１０００１」「１００９０」のコンテンツ描画ＤＢ２０２のコンテンツ描画パラメタの「大きさ」の値が半分に設定される。
【０１２７】
表示制御部２０４は、コンテンツ描画ＤＢ２０２から移動されたコンテンツのコンテンツ描画パラメタを読み込んで、領域Ｂに当該コンテンツを表示する。例えば、図１２のコンテンツ描画ＤＢ２０２からコンテンツＩＤ"１０００１"のコンテンツ描画パラメタを取得した場合には、コンテンツ群表示領域ＡのＸ座標＝３０、Ｙ座標＝２０の位置に、ジャンルとして"くらし" を色"青"で表示する。コンテンツ描画パラメタの「大きさ」については、４０２のユーザ指定コンテンツ群表示領域整理ルールが適用されている場合には、大きさを"１００"の半分とした星型が表示されることになる。
【０１２８】
なお、本発明は、上記の実施の形態に限定されることなく、特許請求の範囲内において種々変更・応用が可能である。
【産業上の利用可能性】
【０１２９】
本発明は、表示装置上に表示されたコンテンツから関連のあるコンテンツを検索し、ユーザに提示するためのシステムに適用可能である。
【図面の簡単な説明】
【０１３０】
【図１】本発明の原理構成図である。
【図２】本発明の原理を説明するための図である。
【図３】本発明の第１の実施の形態における表示装置に表示される領域を示す図である。
【図４】本発明の第１の実施の形態における一連の概要動作のフローチャートである。
【図５】本発明の第１の実施の形態におけるコンテンツ群の発見と整理を補助する装置の構成図である。
【図６】本発明の第１の実施の形態におけるコンテンツ描画ＤＢの例である。
【図７】本発明の第１の実施の形態におけるコンテンツ関連度ＤＢの例である。
【図８】本発明の第１の実施の形態におけるユーザ指定コンテンツＤＢの例である。
【図９】本発明の第１の実施の形態における入力制御部・表示制御部の動作のフローチャートである。
【図１０】本発明の第２の実施の形態における表示イメージである。
【図１１】本発明の第２の実施の形態におけるコンテンツ群の発見と整理を補助する装置の構成図である。
【図１２】本発明の第２の実施の形態におけるコンテンツ描画ＤＢの例である。
【図１３】本発明の第２の実施の形態におけるコンテンツ関連度ＤＢの例である。
【図１４】本発明の第２の実施の形態におけるユーザ指定コンテンツＤＢの例である。
【図１５】本発明の第２の実施の形態における入力制御部・表示制御部の動作のフローチャートである。
【符号の説明】
【０１３１】
１０１  コンテンツ分析部
２０１  コンテンツ群の発見と整理を補助する装置
２０２  コンテンツ描画データベース（ＤＢ）
２０３  コンテンツ関連度ＤＢ
２０４  表示制御手段、表示制御部
２０５  入力制御手段、入力制御部
２０６  ユーザ指定コンテンツＤＢ
３０１  表示装置
３０２  入力装置
４０１，４０２  メモリ
Ａ  コンテンツ群表示領域
Ｂ  ユーザ指定コンテンツ群表示領域
Ｃ  関連コンテンツ群表示領域
Ｄ  削除領域
【図１】
2009026016.tif 000003
【図２】
2009026016.tif 000004
【図３】
2009026016.tif 000005
【図４】
2009026016.tif 000006
【図５】
2009026016.tif 000007
【図６】
2009026016.tif 000008
【図７】
2009026016.tif 000009
【図８】
2009026016.tif 000010
【図９】
2009026016.tif 000011
【図１０】
2009026016.tif 000012
【図１１】
2009026016.tif 000013
【図１２】
2009026016.tif 000014
【図１３】
2009026016.tif 000015
【図１４】
2009026016.tif 000016
【図１５】
2009026016.tif 000017